(57)【要約】【課題】製造が容易であり，ゴムローラのゴム部の変形が抑制された取外し可能なゴムローラアセンブリおよびそのゴムローラアセンブリを備えた画像形成装置を提供すること。【解決手段】転写ローラアセンブリ２０Ｋは，軸部材１と，ゴム部２とを有するゴムローラと，取手部材３とを有している。軸部材１は，取手部材３の支持部３６，３７と軸方向に摺動可能に組み合わされている。また，軸部材１には，溝１１が形成されている。また，取手部材３は，支持部３６の軸方向の外側にＬ字型のフック３３が設けられている。そして，フック３３の先端は，軸部材１の溝１１内に配置されている。このフック３３の先端部分が軸部材１の溝１１による段差に引っかかることによって，取手部材３の軸方向の移動範囲が制限される。【選択図】            図４
2004279923.tif 000002
【特許請求の範囲】
【請求項１】
画像形成装置に対して着脱可能なゴムローラアセンブリにおいて，
回転軸と，
前記回転軸上に配置されているゴムローラ部材と，
前記回転軸を，前記ゴムローラ部材の端部より軸方向の外側の位置で支持し，前記回転軸に対して軸方向に摺動可能である支持部材と，
前記回転軸の，前記ゴムローラ部材の端部より軸方向の外側の位置に形成されている溝と，
前記支持部材に設けられ，先端部が前記溝内に配置されている移動規制部材とを備えることを特徴とするゴムローラアセンブリ。
【請求項２】
画像形成装置に対して着脱可能なゴムローラアセンブリにおいて，
回転軸と，
前記回転軸上に配置されているゴムローラ部材と，
前記回転軸を，前記ゴムローラ部材の端部より軸方向の外側の位置で支持し，前記回転軸に対して軸方向に摺動可能である支持部材と，
前記回転軸上に固定され，前記支持部材の軸方向の一方の側への移動を規制する第１の移動規制部材と，
前記回転軸上に固定され，前記支持部材の軸方向の他方の側への移動を規制する第２の移動規制部材とを備えることを特徴とするゴムローラアセンブリ。
【請求項３】
請求項２に記載するゴムローラアセンブリにおいて，
前記第１の移動規制部材と前記第２の移動規制部材との一方は，外部の駆動力を前記回転軸に伝達する駆動ギアであることを特徴とするゴムローラアセンブリ。
【請求項４】
ゴムローラアセンブリを備える画像形成装置において，
前記ゴムローラアセンブリは，
回転軸と，
前記回転軸上に配置されているゴムローラ部材と，
前記回転軸を，前記ゴムローラ部材の端部より軸方向の外側の位置で支持し，前記回転軸に対して軸方向に摺動可能である支持部材と，
前記回転軸の，前記ゴムローラ部材の端部より軸方向の外側の位置に形成されている溝と，
前記支持部材に設けられ，先端部が前記溝内に配置されている移動規制部材とを備えることを特徴とする画像形成装置。
【請求項５】
ゴムローラアセンブリを備える画像形成装置において，
前記ゴムローラアセンブリは，
回転軸と，
前記回転軸上に配置されているゴムローラ部材と，
前記回転軸を，前記ゴムローラ部材の端部より軸方向の外側の位置で支持し，前記回転軸に対して軸方向に摺動可能である支持部材と，
前記回転軸上に固定され，前記支持部材の軸方向の一方の側への移動を規制する第１の移動規制部材と，
前記回転軸上に固定され，前記支持部材の軸方向の他方の側への移動を規制する第２の移動規制部材とを備えることを特徴とする画像形成装置。
【発明の詳細な説明】
【０００１】
【発明の属する技術分野】
本発明は，ゴムローラアセンブリおよびそのゴムローラアセンブリを備えた画像形成装置に関する。さらに詳細には，製造が容易なゴムローラアセンブリおよびそのゴムローラアセンブリを備えた画像形成装置に関するものである。
【０００２】
【従来の技術】
従来から，電子写真方式の画像形成装置では，転写ローラとして導電性を有するゴムローラを備えるものが多数ある（例えば，特許文献１，特許文献２参照）。そして，この種の画像形成装置では，そのゴムローラを介して転写電圧を被転写体に印加することで，トナー像が被転写体へ転写されるようにしているものがある。また，転写用のゴムローラは，そのゴムローラを支持する支持部材とともに一体化した転写ローラアセンブリとして画像形成装置に装着されている。
【０００３】
ここで，画像形成装置に対して着脱可能な転写ローラアセンブリについて説明する。転写ローラアセンブリは，図１５に示すように軸部材（ローラの芯金）１とゴム部２とを有するゴムローラと，ゴムローラを支持する取手部材３とを備えている。軸部材１には，切削加工により段差２８，２９が形成されている。すなわち，軸部材１は，軸方向の中央部分であって径が大きい大径部１８と，軸方向の両端部分であって径が小さい小径部１６，１７とによって構成される。そして，軸部材１の大径部１８には，ゴム部２が圧入されている。ゴム部２の軸方向の長さは，大径部１８の軸方向の長さよりも短い。そのため，ゴム部２の全体が大径部１８上に配置されている。また，軸部材１は，小径部１６，１７にて取手部材３に支持されている。取手部材３は，両端部の支持部３６，３７にて軸部材１を支持している。また，ゴム部２は，支持部３６と支持部３７との間，すなわち支持部３６，３７より内側に配置されている。すなわち，支持部３６と支持部３７との間隔Ｄは，軸部材１の大径部１８の軸方向の長さよりも長い。また，軸部材１は，取手部材３の支持部３６，３７と軸方向に摺動できるように組み合わされている。取手部材３が軸方向に摺動できる範囲は，図１６に示すように軸部材１の段差２８，２９が取手部材３の支持部３６，３７と当接することにより規制される。ここで，ゴム部２の長さは，大径部１８の長さよりも短いため，ゴム部２と取手部材３とは接触しない。従って，ゴム部２の変形およびそれに伴う抵抗変動が抑制されている。
【０００４】
【特許文献１】
特開平７−１９１５５７号公報
【特許文献２】
特開２０００−９８８０９号公報
【０００５】
【発明が解決しようとする課題】
しかしながら，前記した従来の技術には以下のような問題があった。すなわち，転写ローラアセンブリの製造において，軸部材１の小径部１６，１７の削り代が大きい。また，軸部材１の小径部１６，１７と取手部材３の支持部３６，３７とを摺動させる必要があるため，切削精度等が要求される。さらに，ゴム部２を軸部材１に圧入させる際に，ゴム部２の内壁が軸部材１の段差２８，２９に引っかかってしまうことがある。そのため，製造し難く，歩留りも悪い。
【０００６】
本発明は，前記した従来の技術が有する問題点を解決するためになされたものである。すなわちその課題とするところは，製造が容易であり，ゴムローラのゴム部の変形が抑制された取外し可能なゴムローラアセンブリおよびそのゴムローラアセンブリを備えた画像形成装置を提供することにある。
【０００７】
【課題を解決するための手段】
この課題の解決を目的としてなされたゴムローラアセンブリは，画像形成装置に対して着脱可能なゴムローラアセンブリであって，回転軸と，回転軸上に配置されているゴムローラ部材と，回転軸を，ゴムローラ部材の端部より軸方向の外側の位置で支持し，回転軸に対して軸方向に摺動可能である支持部材と，回転軸の，ゴムローラ部材の端部より軸方向の外側の位置に形成されている溝と，支持部材に設けられ，先端部が回転軸の溝内に配置されている移動規制部材とを備えるものである。また，本発明の画像形成装置は，そのゴムローラアセンブリを備えるものである。
【０００８】
本発明のゴムローラアセンブリでは，支持部材が回転軸に対して軸方向に摺動可能に組み合わされている。そして，回転軸には溝が形成されている。また，支持部材には移動規制部材が設けられており，その先端部が回転軸の溝内に配置されている。これにより，支持部材の軸方向への移動範囲を制限している。また，回転軸の溝の幅は，移動規制部材の先端部の幅よりも多少広い程度でよい。そのため，切削加工での回転軸の削り代は小さい。また，切削精度も要求されない。そのため，短時間でかつ容易に切削加工を行うことができる。また，ゴムローラ部材を溝が形成されていない側から圧入することで，ゴムローラ部材の引っかかりを防ぐことができる。従って，製造が容易であり，歩留まりもよい。
【０００９】
また，本発明の別のゴムローラアセンブリは，画像形成装置に対して着脱可能なゴムローラアセンブリであって，回転軸と，回転軸上に配置されているゴムローラ部材と，回転軸を，ゴムローラ部材の端部より軸方向の外側の位置で支持し，回転軸に対して軸方向に摺動可能である支持部材と，回転軸上に固定され，支持部材の軸方向の一方の側への移動を規制する第１の移動規制部材と，回転軸上に固定され，支持部材の軸方向の他方の側への移動を規制する第２の移動規制部材とを備えるものである。また，本発明の別の画像形成装置は，そのゴムローラアセンブリを備えるものである。
【００１０】
本発明の別のゴムローラアセンブリでは，第１の移動規制部材および第２の移動規制部材を回転軸上に固定することで，支持部材の軸方向への移動範囲を制限している。そのため，支持部材の移動範囲を制限するために，回転軸を切削する必要はない。また，第１の移動規制部材および第２の移動規制部材をＥリング等で固定するために多少の切削を行うとしても，その削り代は小さい。また，切削精度も要求されない。また，その程度の幅の溝であれば，ゴムローラ部材の内壁が引っかかることは少ない。従って，製造が容易であり，歩留まりもよい。
【００１１】
また，本発明のゴムローラアセンブリの第１の移動規制部材と第２の移動規制部材との一方は，外部の駆動力を回転軸に伝達する駆動ギアであるとするとよりよい。これにより，第１の移動規制部材もしくは第２の移動規制部材は，支持部材の軸方向の移動を規制するとともに，外部の駆動力を回転軸に伝達する機能を兼ねることができる。このため，部品数を削減することができる。
【００１２】
【発明の実施の形態】
以下，本発明を具体化した実施の形態について，添付図面を参照しつつ詳細に説明する。なお，本実施の形態は，電子写真方式のカラー複写機に本発明を適用したものである。
【００１３】
［第１の形態］
本形態の画像形成装置は，タンデム方式のフルカラー複写機であり，図１に示すように並列に配置された４つの作像ユニットを有するものである。詳細には，本形態のカラー複写機は，イメージリーダ部１００と，プリンタ部２００とを備えている。イメージリーダ部１００は，原稿ガラス板に載置された原稿の画像をスキャナ等で読み撮るものである。
【００１４】
プリンタ部２００は，イメージリーダ部１００にて読み撮られた画像を基に，記録用紙上に画像を形成するものである。詳細には，プリンタ部２００は色ごとに，作像部４０Ｋ，４０Ｃ，４０Ｍ，４０Ｙを有している。またその他に，給紙部５０，定着部８０，転写ベルト５１，２次転写ローラ５２，制御部９０等を有している。作像部４０Ｋ，４０Ｃ，４０Ｍ，４０Ｙは，露光ヘッド７０Ｋ，７０Ｃ，７０Ｍ，７０Ｙと，トナー像を形成する画像プロセス部６０Ｋ，６０Ｃ，６０Ｍ，６０Ｙと，形成されたトナー像を転写ベルト５１上に転写する１次転写ローラ１０Ｋ，１０Ｃ，１０Ｍ，１０Ｙとを有している。各１次転写ローラは，それぞれ転写ローラホルダに着脱可能に装着されており，画像形成装置から取り外すことが可能である。画像プロセス部６０Ｋ，６０Ｃ，６０Ｍ，６０Ｙは，トナー像を担持する感光体ドラム４１Ｋ，４１Ｃ，４１Ｍ，４１Ｙを有し，これを中心として帯電チャージャ４２Ｋ，４２Ｃ，４２Ｍ，４２Ｙ，現像器４３Ｋ，４３Ｃ，４３Ｍ，４３Ｙ，クリーナ４４Ｋ，４４Ｃ，４４Ｍ，４４Ｙ等を有している。
【００１５】
また，本形態の画像形成装置には，１次転写ローラを有する転写ローラアセンブリを装着するための転写ローラホルダが色ごとに設置されいる。具体的には，図２に示すような転写ローラアセンブリ取付けホルダ３０Ｋが設置されている。そして，１次転写ローラ１０Ｋを有する転写ローラアセンブリ２０Ｋは，転写ローラアセンブリ取付けホルダ３０Ｋ内に装着される。これにより，転写ローラアセンブリ２０Ｋは，画像形成装置からの着脱が可能である。なお，図２は転写ローラアセンブリ２０Ｋが装着されていない状態を，図３は転写ローラアセンブリ２０Ｋが装着されている状態を，それぞれ示している。
【００１６】
次に，本発明の特徴点である転写ローラアセンブリ２０Ｋについて詳説する。なお，その他の転写ローラアセンブリについても同様である。本形態の転写ローラアセンブリ２０Ｋは，図４の概念図に示すように軸部材１と，ゴム部２とを有するゴムローラと，取手部材３とを有している。軸部材１には，ゴム部２が圧入されている。ゴム部２の軸方向の長さは，軸部材１の軸方向の長さよりも短い。そのため，ゴム部２の全体が軸部材１上に配置されている。なお，ゴム部２は，電子伝導，イオン伝導等の導電性を有するものである。また，多層構造のものでもよい。導電材としては，カーボンや金属等が該当する。ゴム部材としては，発泡ウレタンゴム，発泡ＥＰＤＭ，フッ素コート発泡シリコンゴム，発泡ＮＢＲ，発泡ヒドリンゴム等が該当する。
【００１７】
また，取手部材３は，両端部の支持部３６，３７にて軸部材１を支持している。すなわち，軸部材１は，軸方向の両端部付近にて取手部材３に支持されている。さらに，取手部材３の支持部３６，３７は，軸部材１と軸方向に摺動可能に組み合わされている。また，ゴム部２は，支持部３６と支持部３７との間，すなわち支持部３６，３７より内側に配置されている。そのため，ゴム部２の長さは，支持部３６と支持部３７との間隔Ｄよりも短い。
【００１８】
また，軸部材１には，支持部３６より外側に溝１１が形成されている。また，取手部材３には，支持部３６より外側に，Ｌ字型のフック３３が設けられている。そして，フック３３の先端は，軸部材１の溝１１内に配置されている。このフック３３の先端部分が軸部材１の溝１１による段差に引っかかることによって，取手部材３の軸方向の移動範囲が制限される。すなわち，取手部材３の軸方向の移動範囲は，溝１１の幅による。そして，溝１１の幅は，フック３３の先端を差し入れることができ，さらに軸方向への多少のあそびを確保できる程度の長さでよい。これにより，取手部材３とゴム部２との接触が防止される。
【００１９】
次に，本形態の転写ローラアセンブリ２０Ｋの製造過程での特徴点について説明する。本形態の軸部材１には，一方の端部付近に切削加工にて溝１１が形成される。そして，その溝１１の幅は，フック３３の先端の幅より多少広い程度でよい。そのため，従来の転写ローラアセンブリの場合と比較して削り代が小さい。また，従来の転写ローラアセンブリのように小径部にて摺動させる必要がないため，切削精度も要求されない。また，ゴム部２は，溝１１が形成されていない側から圧入すればよい。そのため，ゴム部２の圧入の際に，ゴム部２の内壁が溝１１に引っかかることはない。
【００２０】
以上詳細に説明したように第１の形態の転写ローラアセンブリ２０Ｋは，軸部材１の一方の端部付近に溝１１を形成することとしている。そして，取手部材３のフック３３の先端を軸部材１の溝１１内に配置することによって，取手部材３の軸方向への移動範囲を制限することとしている。また，従来の転写ローラアセンブリの削り代と比較して溝１１の削り代は小さい。また，従来の切削加工と比較して切削精度は要求されない。そのため，短時間でかつ容易に切削加工を行うことができる。また，ゴム部２の内壁が溝１１に引っかかることはない。そのため，歩留まりもよい。従って，製造が容易であり，ゴムローラのゴム部の変形が抑制された取外し可能なゴムローラアセンブリおよびそのゴムローラアセンブリを備えた画像形成装置が実現されている。
【００２１】
［第２の形態］
本形態の転写ローラアセンブリ２１Ｋは，図５に示すように軸部材１と，ゴム部２とを有するゴムローラと，取手部材３とを有している。さらに，支持部３６，３７よりも外側に軸方向規制部材１２，１３を有している。軸方向規制部材１２，１３は，Ｅリング等のリング部材により固定されている。なお，接着剤やビス止め等によって固定してもよい。軸方向規制部材１２は，取手部材３の図５中の左側への移動を規制している。軸方向規制部材１３は，取手部材３の図５中の右側への移動を規制している。すなわち，取手部材３は，軸方向規制部材１２，１３と当接することによって，軸方向への移動範囲が制限される。これにより，取手部材３とゴム部２との接触が防止される。
【００２２】
次に，本形態の転写ローラアセンブリ２１Ｋの製造過程での特徴点について説明する。本形態の軸部材１では，Ｅリング等のリング部材を設置する位置に切削加工にて溝が形成される。そして，その溝の幅は，リング部材を固定するために必要な大きさ程度でよい。そのため，従来の転写ローラアセンブリと比較して削り代が小さい。なお，接着剤やビス止め等による固定であれば溝を形成する必要がない。また，従来の転写ローラアセンブリのように小径部にて摺動させる必要がないため，切削精度も要求されない。また，リング部材を固定する程度の幅の溝であれば，ゴム部２の内壁がその溝に引っかかることは少ない。
【００２３】
以上詳細に説明したように第２の形態の転写ローラアセンブリ２１Ｋは，支持部３６，３７の外側に軸方向規制部材１２，１３を設置することとしている。そして，その軸方向規制部材１２，１３によって，取手部材３の軸方向への移動範囲を制限することとしている。また，軸方向規制部材１２，１３をリング部材で固定するために行う切削加工では，従来の転写ローラアセンブリの削り代と比較して削り代が小さい。また，従来の切削加工と比較して切削精度は要求されない。そのため，短時間でかつ容易に切削加工を行うことができる。また，ゴム部２の内壁がその溝に引っかかることは少ない。さらに，歩留まりもよい。従って，製造が容易であり，ゴムローラのゴム部の変形が抑制されたゴムローラアセンブリおよびそのゴムローラアセンブリを備えた画像形成装置が実現されている。
【００２４】
［第３の形態］
本形態の転写ローラアセンブリ２２Ｋは，図６に示すように軸部材１と，ゴム部２とを有するゴムローラと，取手部材３とを有している。さらに，軸部材１の両端部にキャップ部材１４，１５を有している。キャップ部材１４，１５は，軸部材１の端部から圧入されることによって固定されている。具体的には，軸部材１の端部では，図７に示すようにＤカットされている。一方，キャップ部材１４は，図８に示すようにＤカットされた軸部材１の端部と同様の形状の穴１４１が形成されている。さらに，穴１４１の内壁には突起部１４２が形成されている。なお，キャップ部材１５も同様の形状である。このような形状のキャップ部材１４，１５を，軸部材１の端部とキャップ部材１４，１５の穴１４１とが一致するように設置して，軸部材１の端部から圧入する。そして，キャップ部材１４，１５は，圧入の際に突起部１４２がつぶされることで軸部材１の端部に固定される（図９参照）。取手部材３は，キャップ部材１４，１５と当接することによって，軸方向への移動範囲が制限される。これにより，取手部材３とゴム部２との接触が防止される。
【００２５】
次に，本形態の転写ローラアセンブリ２２Ｋの製造過程での特徴点について説明する。本形態の軸部材１では，両端部が切削加工にてＤカットされる。そして，切削される軸方向の長さは，キャップ部材１４，１５を固定するために必要な長さ程度でよい。そのため，従来の転写ローラアセンブリと比較して削り代が小さい。また，従来の転写ローラアセンブリのように小径部にて摺動させる必要がないため，切削精度も要求されない。また，キャップ部材１４，１５を固定する程度の段差であれば，ゴム部２の内壁がその段差に引っかかることは少ない。
【００２６】
以上詳細に説明したように第３の形態の転写ローラアセンブリ２２Ｋは，キャップ部材１４，１５によって，取手部材３の軸方向への移動範囲を制限することとしている。また，従来の転写ローラアセンブリの削り代と比較して両端部の削り代は小さい。また，従来の切削加工と比較して切削精度は要求されない。また，ゴム部２の内壁が両端部の段差に引っかかることは少ない。従って，製造が容易であり，ゴムローラのゴム部の変形が抑制されたゴムローラアセンブリおよびそのゴムローラアセンブリを備えた画像形成装置が実現されている。
【００２７】
［第４の形態］
本形態の転写ローラアセンブリ２３Ｋは，図１０に示すように軸部材１と，ゴム部２とを有するゴムローラと，取手部材３とを有している。さらに，軸部材１の一方の端部には，軸方向規制部材１２が固定されている。また，他方の端部には，駆動ギア３４が固定されている。軸方向規制部材１２は，第２の形態のリング部材１２と同様のものである。駆動ギア３４も，軸方向規制部材１２と同様にＥリング等のリング部材によって固定されている。取手部材３は，リング部材１２および駆動ギア３４と当接することによって，軸方向への移動範囲が制限される。これにより，取手部材３とゴム部２との接触が防止される。
【００２８】
次に，本形態の転写ローラアセンブリ２３Ｋの製造過程での特徴点について説明する。本形態の軸部材１では，駆動ギア３４等を固定するためのリング部材が設置される位置に切削加工にて溝が形成される。そして，その溝の幅は，リング部材を固定するために必要な大きさでよい。そのため，従来の転写ローラアセンブリと比較して削り代が小さい。なお，接着剤やビス止め等による固定であれば溝を形成する必要がない。また，従来の転写ローラアセンブリのように小径部にて摺動させる必要がないため，切削精度も要求されない。
【００２９】
以上詳細に説明したように第４の形態の転写ローラアセンブリ２３Ｋは，取手部材３の移動範囲を制限する手段として駆動ギア３４を利用することとしている。そして，駆動ギア３４をリング部材で固定するために行う切削加工では，従来の転写ローラアセンブリの削り代と比較して削り代が小さい。また，従来の切削加工と比較して切削精度は要求されない。そのため，短時間でかつ容易に切削加工を行うことができる。従って，本形態の転写ローラアセンブリ２３Ｋであっても，製造が容易であり，ゴムローラのゴム部の変形が抑制されたゴムローラアセンブリが実現されている。
【００３０】
［第５の形態］
本形態の転写ローラアセンブリ２４Ｋは，図１１に示すように軸部材１と，ゴム部２とを有するゴムローラと，ガイド部３５とホルダ３６，３７とを有する取手部材３とを有している。さらに，取手部材３の軸方向への移動範囲を制限する手段として，軸部材１の一方の端部には，第１の形態と同様の溝１１が形成されており，ホルダ３６に設けられたフック３３の先端部が溝１１内に配置されている。また，他方の端部には，第４の形態のように駆動ギア３４が固定されている。さらには，ホルダ３７に規制部材３９が設けられている。これにより，取手部材３のホルダ３６，３７とゴム部２との接触が防止されている。なお，本形態の転写ローラアセンブリ２４Ｋの軸部材１には，ゴム部２とホルダ３６，３７との間に位置決め部材２６，２７が固定されている。
【００３１】
図１２は，図１１中の矢印Ｐ方向から見たときのホルダ３６を示している。図１２中のフック３３の先端部Ａを軸部材１に形成された溝１１に差し入れることで，図１２中の矢印方向へのがたつきが規制される。図１３は，図１１中の矢印Ｑ方向から見たときのホルダ３７を示している。図１３中の規制部材３９の面Ｂを駆動ギア３４と当接させることで，図１３中の矢印方向へのがたつきが規制される。図１４は，図１１中の矢印Ｒ方向から見たときのホルダ３７を示している。図１４中の矢印Ｃの範囲内に位置決め部材２６，２７を配置することで，位置決め部材２６，２７がゴム部２の端部に接触することを防いでいる。
【００３２】
以上詳細に説明したように第５の形態の転写ローラアセンブリ２４Ｋの軸部材１の一方の端部では，取手部材３のフック３３の先端部を軸部材１の溝１１内に配置することとしている。また，他方の端部では，駆動ギア３４を軸部材１に固定することとしている。そして，これらによって，取手部材３の軸方向への移動範囲を制限することとしている。すなわち，第１の形態から第４の形態での取手部材３の移動範囲を制限する手段を組み合わせてもよい。
【００３３】
なお，本実施の形態は単なる例示にすぎず，本発明を何ら限定するものではない。したがって本発明は当然に，その要旨を逸脱しない範囲内で種々の改良，変形が可能である。例えば，本実施の形態では，転写ローラアセンブリに本発明を適用しているがこれに限るものではない。すなわち，給紙ローラアセンブリ等であってもよい。
【００３４】
また，取手部材３の他にも，ゴム部２と当接してゴム部２を変形させる可能性があるものがある。例えば，転写前ガイド，除電部材保持板である。しかしながらそのようなものであっても，本形態の取手部材３のように軸方向への移動範囲を制限することで，ゴム部２との接触を防止することができる。
【００３５】
また，実施の形態では複写機に本発明を適用しているがこれに限るものではない。すなわち，スキャナやＦＡＸ等であっても現像装置を有するものであれば適用可能である。また，モノクロ画像専用機であってもよい。また，タンデム方式に限らず，例えば４サイクル方式であってもよい。
【００３６】
【発明の効果】
以上の説明から明らかなように本発明によれば，製造が容易であり，ゴムローラのゴム部の変形が抑制された取外し可能なゴムローラアセンブリおよびそのゴムローラアセンブリを備えた画像形成装置が提供されている。
【図面の簡単な説明】
【図１】第１の形態に係る画像形成装置の構成を示す概略図である。
【図２】転写ローラアセンブリの取付け前の状態を示す概略図である。
【図３】転写ローラアセンブリの取付け後の状態を示す概略図である。
【図４】第１の形態に係る転写ローラアセンブリの構成を示す断面概略図である。
【図５】第２の形態に係る転写ローラアセンブリの構成を示す断面概略図である。
【図６】第３の形態に係る転写ローラアセンブリの構成を示す断面概略図である。
【図７】軸部材の端部の形状を示す断面図である。
【図８】キャップ部材の構成を示す断面図である。
【図９】回転部材とキャップ部材とが組み合わされた状態を示す断面図である。
【図１０】第４の形態に係る転写ローラアセンブリの構成を示す断面概略図である。
【図１１】第５の形態に係る転写ローラアセンブリの構成を示す概略図である。
【図１２】図１１に示した転写ローラアセンブリ中のホルダを矢印Ｐ方向から見た斜視図である。
【図１３】図１１に示した転写ローラアセンブリ中のホルダを矢印Ｑ方向から見た斜視図である。
【図１４】図１１に示した転写ローラアセンブリ中のホルダを矢印Ｒ方向から見た斜視図である。
【図１５】従来の画像形成装置における転写ローラアセンブリの概要（通常時）を示す図である。
【図１６】従来の画像形成装置における転写ローラアセンブリの概要（位置ずれ時）を示す図である。
【符号の説明】
１      軸部材（回転軸）
２      ゴム部（ゴムローラ部材）
３      取手部材（支持部材）
１１    溝
１２    軸方向規制部材（第１の移動規制部材）
１３    軸方向規制部材（第２の移動規制部材）
１４    キャップ部材（第１の移動規制部材）
１５    キャップ部材（第２の移動規制部材）
３３    フック（移動規制部材）
３４    駆動ギア
２０Ｋ  転写ローラアセンブリ（ゴムローラアセンブリ）
【図１】
2004279923.tif 000003
【図２】
2004279923.tif 000004
【図３】
2004279923.tif 000005
【図４】
2004279923.tif 000006
【図５】
2004279923.tif 000007
【図６】
2004279923.tif 000008
【図７】
2004279923.tif 000009
【図８】
2004279923.tif 000010
【図９】
2004279923.tif 000011
【図１０】
2004279923.tif 000012
【図１１】
2004279923.tif 000013
【図１２】
2004279923.tif 000014
【図１３】
2004279923.tif 000015
【図１４】
2004279923.tif 000016
【図１５】
2004279923.tif 000017
【図１６】
2004279923.tif 000018